(57)【要約】【課題】  受信可能チャンネルを探索すると共に受信チャンネル毎の最適な受信アンテナ設定を記憶するチャンネルサーチでは、各物理チャンネルにおいて受信アンテナを設定する時間が必要なため、チャンネルサーチに多大な時間を要する。【解決手段】  上記課題を解決するために、各受信アンテナ設定において全物理チャンネルの受信状態を取得し、この受信状態取得を全ての受信アンテナ設定について実行する。この際、受信アンテナの設定を制御する回数を受信アンテナ設定の組合せ数とすることにより、受信アンテナの設定に要する時間を短縮し、チャンネルプリセットに要する時間を短縮することが可能となる。【選択図】  図１
2006352187.tif 000002
【特許請求の範囲】
【請求項１】
音声信号及び映像信号を有する放送信号を受信し、1つ以上のアンテナ設定が可能なアンテナと、
該アンテナにより受信された該放送信号から所望のチャンネルを選局する選局部と、
該選局部により選局された該放送信号の品質に関する情報を取得する信号品質情報取得部と、
該信号品質情報取得部により取得された該放送信号の品質に関する情報を用いて該アンテナの設定に関する情報を記憶する記憶部と、
該記憶部により記憶された該アンテナの設定に関する情報を用いて該アンテナの設定を制御する制御部とを備えることを特徴とする受信装置。
【請求項２】
請求項１記載の受信装置において、
前記制御部は、受信チャンネル毎の最適な受信アンテナ設定を記憶するチャンネルサーチ実行を行う場合に、前記アンテナの設定を制御した後に前記信号品質情報取得部により取得される放送信号の品質に関する情報をチャンネル毎に取得するよう制御することを特徴とする受信装置。
【請求項３】
請求項１又は２記載の受信装置において、
前記制御部は、前記アンテナ部の個々の設定に対して前記信号品質情報取得部により取得される放送信号の品質に関する情報をチャンネル毎に取得し前記アンテナの1つ以上の設定における前記放送信号の品質に関する情報から所望のチャンネルに対して最適な前記アンテナ部の設定を取得するように制御することを特徴とする受信装置。
【請求項４】
請求項１から３いずれかに記載の受信装置において、
前記アンテナの設定に関する情報が、前記選局部により選局されたチャンネル情報を含むことを特徴とする受信装置。
【請求項５】
請求項１から３いずれかに記載の受信装置において、
前記アンテナは、アンテナの指向性を示す方向、極性及び増幅率の一部又は全部の設定が可能であることを特徴とする受信装置。
【請求項６】
請求項１から３いずれかに記載の受信装置において、
前記制御部は、アンテナの指向性を示す方向、極性及び増幅率の全てあるいは一部を制御することを特徴とする受信装置。
【請求項７】
請求項１から６いずれかに記載の受信装置において、
前記信号品質情報取得部により取得された信号の品質に関する情報が受信信号との同期状態であることを特徴とする受信装置。
【請求項８】
請求項１から６いずれかに記載の受信装置において、
前記信号品質情報取得部により取得された信号の品質に関する情報が信号雑音比であることを特徴とする受信装置。
【請求項９】
請求項１から６いずれかに記載の受信装置において、
前記信号品質情報取得部により取得された信号の品質に関する情報がビット誤り率であることを特徴とする受信装置。
【請求項１０】
請求項１乃至６いずれかに記載の受信装置において、
前記信号品質情報取得部により取得された信号の品質に関する情報がＡＧＣ制御電圧であることを特徴とする受信装置。
【請求項１１】
音声信号及び映像信号を有する放送信号を受信する受信ステップと、
受信アンテナの設定を行う受信アンテナ設定ステップと、
該受信ステップにより受信された該放送信号の受信チャネルを設定する受信チャネル設定ステップと、
該受信チャンネル設定ステップにより受信チャンネルの設定がなされると該受信ステップにより受信された該放送信号の品質に関する情報を取得する信号品質情報取得ステップと、
該信号品質情報取得ステップにより取得された該放送信号の品質に関する情報を該受信チャンネル設定ステップにより設定された該受信チャンネル及び該受信アンテナ設定ステップにより設定された受信アンテナの設定とを関連付けて選局情報として記憶する記憶ステップと、
該信号品質情報取得ステップを複数の受信チャンネルについて実行する複数チャンネル記憶ステップと、
該複数チャンネル記憶ステップを複数の受信アンテナ設定について実行する複数アンテナ設定記憶ステップと
該複数アンテナ設定記憶ステップにより取得した該選局情報に基づき、該受信チャンネルでの最適な受信アンテナ設定を判別する判別ステップとを有することを特徴とする受信アンテナ設定方法。
【請求項１２】
請求項１１記載の受信アンテナ設定方法において、
前記選局情報が、前記受信ステップにより受信される前記放送信号の信号雑音比に関するものであることを特徴とする受信アンテナ設定方法。
【請求項１３】
請求項１１又は１２記載の受信アンテナ設定方法において、
前記記憶ステップにおいて、前記受信チャネル設定ステップによって設定された受信チャンネル毎に受信された前記放送信号の品質に関する情報が最適となる選局情報を記憶することを特徴とする受信アンテナ設定方法。
【請求項１４】
請求項１１乃至１３いずれかに記載の受信アンテナ設定方法において、
前記受信アンテナ設定ステップと、前記信号品質情報取得ステップと、前記記憶ステップとを、予め受信可能な全チャンネルにおいて動作させておくことを特徴とする受信アンテナ設定方法。
【請求項１５】
音声信号及び映像信号を有する放送信号を受信する受信部と、
該受信部により受信された該放送信号から所望のチャンネルを選局する選局部と、
該選局部により選局された該放送信号を復調する復調部と、
該復調部により復調された該放送信号の品質に関する信号品質情報を取得する信号品質情報取得部と、
該信号品質情報取得部により取得された該信号品質情報を用いて該受信部の設定に関する情報を記憶する記憶部と、
該受信部と該選局部と該信号品質情報取得部と該記憶部の処理を制御する制御部とを備え、
該制御部は、該記憶部により記憶された該受信部の設定に関する情報を用いて該受信部の設定を制御することを特徴とする受信装置。
【請求項１６】
請求項１５記載の受信装置において、
前記制御部は、受信チャンネル毎の受信部の最適設定を記憶するチャンネルサーチ実行を行う場合に、前記信号品質情報取得部により取得される放送信号の品質に関する情報をチャンネル毎に取得するよう制御することを特徴とする受信装置。
【請求項１７】
請求項１５又は１６記載の受信装置において、
前記制御部は、前記受信部の個々の設定に対して前記信号品質情報取得部により取得される前記信号品質情報をチャンネル毎に取得し、前記受信部の設定における前記信号品質情報から所望のチャンネルに対して最適な前記受信部の設定を取得するように制御することを特徴とする受信装置。
【発明の詳細な説明】
【技術分野】
【０００１】
本発明は、放送電波を受信し、映像音声信号を出力する受信装置および受信アンテナ設定方法に関する。特に、受信可能チャンネルを探索すると共に、受信チャンネル毎の最適な受信アンテナ設定を記憶するチャンネルサーチを短時間で実行可能な受信装置および受信アンテナ設定方法に関する。
【背景技術】
【０００２】
地上波放送における放送電波の送信局や中継局は、１つの受信地域に対して複数存在する場合がある。例えば、特開２００１−８６０１９号公報には、最適受信のための受信アンテナ方向の自動調整を可能とする技術が開示されている。
【０００３】
【特許文献１】特開２００１−８６０１９号公報
【発明の開示】
【発明が解決しようとする課題】
【０００４】
しかしながら、前述したデジタル放送受信用アンテナ自動調整方法では、現時点で選局されているチャンネルに対する受信アンテナを調整することを想定しており、受信可能チャンネルを探索するチャンネルサーチの場合については一切考慮されていない。
【０００５】
また、受信可能チャンネルを探索すると共に受信チャンネル毎の最適な受信アンテナ設定を記憶するチャンネルサーチでは、各物理チャンネルにおいて受信アンテナを設定する時間が必要なため、チャンネルサーチに多大な時間を要するという問題が発生する。
【０００６】
本発明は、上記のような問題点を鑑みて考案されたものであり、その目的は、受信チャンネル毎の最適な受信アンテナ設定を記憶するチャンネルサーチを短時間で実行可能とする受信装置及び受信アンテナ設定方法を提供することにある。
【課題を解決するための手段】
【０００７】
上記課題を解決するために、例えば、アンテナにより受信された該放送信号から所望のチャンネルを選局し、選局された放送信号の品質に関する情報を取得し、その信号品質情報を用いて該アンテナの設定に関する情報を記憶し、そのアンテナ設定情報を用いて該アンテナの設定を制御するように構成すればよい。
【発明の効果】
【０００８】
本発明によれば、信チャンネル毎の最適な受信アンテナ設定を記憶するチャンネルサーチを短時間で実行可能とする受信装置及び受信アンテナ設定方法を提供することができる。
【発明を実施するための最良の形態】
【０００９】
以下、実施の形態を詳細に説明する。なお、同一の符号・記号・番号は同一の構成を意味するものとする。
【実施例１】
【００１０】
以下、第１の実施の形態について説明する。図６は、本実施例の全体像を示す図である。受信アンテナ１０１を有す受信装置１００は、方向や距離が異なる送信局６０１、６０２、６０３から放送信号を受信する。受信装置１００において良好な映像信号・音声信号・データ信号などを得るために指向性を持つ受信アンテナの方向や、増幅率などの調節を行う。
【００１１】
以下、詳細に説明する。図１は、本実施例による受信装置の構成例を示すブロック図である。図１において、受信アンテナ１０１は、素子の方向により受信感度が変化する指向性変更部を有する。また、受信アンテナ１０１は、増幅率を変更可能な可変増幅部及び受信信号の極性を反転可能な極性反転部などを有していても良い。これら受信アンテナ１０１の設定はアンテナ制御部１０２により制御される。また、アンテナ制御部１０２、チューナ部１０３、信号処理部１０４での処理は制御部１０５により制御される。受信アンテナ１０１は放送電波を受信し、受信信号をチューナ部１０３に供給する。チューナ部１０３は、供給された受信信号から希望するチャンネルの信号を選局し、信号処理部１０４に供給する。信号処理部１０４は、供給された受信信号に対して放送方式に応じた復調・復号処理を施し、映像信号を映像表示部１０７に、音声信号を音声出力部１０８に供給する。
【００１２】
また、信号処理部１０４は、受信信号の信号品質に関する情報（以下、「信号品質情報」とする）を検出する機能を有し、制御部１０５は信号処理部１０４から受信信号の信号品質情報を取得することが可能である。この信号品質情報は、復調処理での受信信号との同期状態・受信信号雑音比（ＳＮＲ（Signal to Noise Ratio））・誤り訂正処理でのビット誤り率・ＡＧＣ制御電圧などを想定している。
【００１３】
制御部１０５は、アンテナ制御部１０２に対する設定とチューナ部１０３に対する設定と信号処理部１０４から取得した信号品質情報を、記憶部１０６に記憶する。また、制御部１０５は、アンテナ制御部１０２に対する設定とチューナ部１０３に対する設定と信号処理部１０４から取得した信号品質情報を、それぞれ対応付けて記憶部１０６に記憶させることも可能である。
【００１４】
以下、図１に示した信号処理部１０４における処理を詳細に説明する。図２は、図１に示した信号処理部１０４を詳細に説明するためのブロック図である。チューナ部１０３により選局された受信信号はＡ／Ｄ変換部２０１に供給される。Ａ／Ｄ変換部２０１は、供給された信号をデジタル信号に変換し、復調部２０２に供給する。復調部２０２は、放送方式に応じた復調処理を施し、復調データを誤り訂正部２０３に供給する。
【００１５】
米国地上デジタル放送の場合、復調部２０２では、８ＶＳＢ(８値Vestigial Side Band)変調方式により変調された信号を復調する。誤り訂正部２０３では、復調データを誤り訂正した後、デマルチプレクサ２０４に供給する。デマルチプレクサ２０４は、供給されたデータを多重分離し、映像データをビデオデコーダ２０５に、音声データをオーディオデコーダ２０６に供給する。ビデオデコーダ２０５は映像データを映像信号に変換し、映像表示部１０７に供給する。オーディオデコーダ２０６は音声データを音声信号に変換し、音声出力部１０８に供給する。
【００１６】
図２に示したＡ／Ｄ変換部２０１、復調部２０２、誤り訂正部２０３、デマルチプレクサ２０４、ビデオデコーダ２０５、オーディオデコーダ２０６は、それぞれ図１に示した制御部１０５により制御される。また、復調部２０２は復調処理における受信信号との同期状態や受信信号のＳＮＲを検出し、誤り訂正部２０３は復調データのビット誤り率を検出し、Ａ／Ｄ変換部２０１は受信信号のレベルが一定となるようなＡＧＣ制御電圧を生成する。
【００１７】
本実施の形態における受信装置では、アンテナ設置時の初期チャンネルプリセット時や、ユーザースキャン操作による再チャンネルプリセット時に、選局するチャンネルに応じて最適な受信状態となる受信アンテナの設定を記憶部１０６に記憶させておき、通常選局時などに記憶部１０６に記憶させてある選局チャンネルに応じた設定により受信アンテナの設定を行う。
【００１８】
以下、本実施の形態における受信装置での初期チャンネルプリセット方法について図３および図４を用いて詳細に説明する。
【００１９】
図３は、本実施例を適用した実施形態において、制御部１０５からアンテナ制御部１０２を制御するための受信アンテナ制御信号の一例である。図３において３０１は時間軸、３０２〜３０７はアンテナ制御部１０２を制御するための一組の制御信号、“Ｔ”はシリアルデータのクロック周期を示す。３０２は４ビットのリセット信号、３０３は設定データ送信開始を表す１ビットのスタートビット、３０４は４ビットの受信アンテナ方向設定データ、３０５は１ビットの受信アンテナ極性設定データ、３０６は２ビットの受信アンテナ増幅率設定データ、３０７は７ビットの選局チャンネルデータである。３０８は３０２〜３０７のアンテナ制御信号の次に送信されるアンテナ制御信号の一部であり、送信開始時間を“Ｓ”とする。
【００２０】
図３に示した受信アンテナ制御信号は、EIA/CEEA909規格尿ntenna Control Interface  として規格化されており、１６通りの方向設定と２通りの極性設定と４通りの増幅率設定が可能である。従って、受信アンテナ設定は全部で128通りの設定が可能となる。また、シリアルデータのクロック周波数は8kHz、すなわち、クロック周期“Ｔ”は125マイクロ秒と既定されている。また、一組のアンテナ制御信号が送信されてから次のアンテナ制御信号が送信されるまでの間隔、すなわち、時間“ｔ＝１９Ｔ”と”ｔ＝Ｓ”の間隔は10ミリ秒以上空ける必要があると既定されている。従って、一組の受信アンテナ設定に要する時間は12.375ミリ秒となる。従って、全ての受信アンテナ設定１２８通りを設定するためには、最低でも1.584秒を要す。例えば、米国の地上波放送で規定された物理チャンネル配置における全ての物理チャンネルに対して全ての受信アンテナ設定の組合せでの受信状態を判別する場合、チャンネルサーチ中の受信アンテナ設定に要する時間は最低でも107秒となり、チャンネルサーチ時間が長くなる要因となる。但し、本実施の形態における受信装置での制御部１０５からアンテナ制御部１０２を制御するための制御信号は、図３のシリアルデータ系列に限定されるものではなく、設定データの種類およびビット数、クロック周波数、データ送信間隔などについて、複数の組合せが想定される。
【００２１】
一方、本実施の形態における受信装置でのチューナ部１０３に対する制御に要する時間は、約0.5ミリ秒である。
【００２２】
図４は、本実施の形態における受信装置での初期チャンネルプリセット機能または再チャンネルプリセット機能として、自動チャンネルスキャンを実行し、それぞれの物理チャンネルに対する受信アンテナの設定を取得する動作を説明するためのフローチャートである。以下、米国の地上波放送で規定された物理チャンネル配置を例に取り説明する。
【００２３】
まず、ステップ４０１において、ユーザの指示により初期チャンネルプリセットが実行され、ステップ４０２に進む。次に、ステップ４０２において制御部１０５は、信号処理部１０４に対して放送方式に応じた復調および誤り訂正動作を開始させ、ステップ４０３に進む。このステップ４０３での復調および誤り訂正動作とは、米国のデジタル地上波放送の場合には８ＶＳＢ（８値Vestigial Side Band）変調方式、トレリス符号化、リードソロモン符号化に対する復調および誤り訂正である。次に、ステップ４０３において制御部１０５は、受信アンテナ１０１の設定が初期設定となるようにアンテナ制御部１０２を制御し、ステップ４０４に進む。
【００２４】
次に、ステップ４０４において制御部１０５は、例えば最も小さい物理チャンネルを選局するようチューナ部１０２を制御し、ステップ４０５に進む。米国の地上波放送の場合は有効物理チャンネル範囲が「２」〜「６９」なので、まず物理チャンネル番号「２」を設定する。
【００２５】
次に、ステップ４０５において制御部１０５は、信号処理部１０４から信号品質情報を取得してステップ４０６に進む。ステップ４０６において制御部１０５は、現在設定している受信アンテナ設定と、現在選局している物理チャンネル番号と、受信信号の信号品質情報とを対応付けて記憶部１０６に格納し、ステップ４０７に進む。また、ステップ４０５において受信信号との同期状態がアンロックである場合、すなわち、選局している物理チャンネルに対して現在の受信アンテナの設定ではデジタル放送電波の存在が認められない場合、ステップ４０６において信号品質情報を最低値に変換して格納しておく。
【００２６】
次に、ステップ４０７において制御部１０５は、米国の地上波放送で規定されている全ての物理チャンネルを選局したかどうかを判定し、該当していればステップ４０９に進み、該当していなければステップ４０８に進む。ステップ４０８においては、ステップ４０４で選局すべき物理チャンネル番号を1つ大きな番号に更新しステップ４０４に進み、ステップ４０４からステップ４０７までのループにより全ての物理チャンネルを選局するまで繰り返した後、ステップ４０９に進む。但し、本実施の形態における受信装置での初期チャンネルプリセット方法では、ステップ４０８での更新順序を限定するものではない。
【００２７】
次に、ステップ４０９において制御部１０５は、受信アンテナ１０１に設定すべき全ての設定パラメータを試行したかを判定し、該当していればステップ４１１に進み、該当していなければステップ４１０に進む。ステップ４１０において制御部１０５は、これまでのステップにおいて設定していない受信アンテナ設定の内、次に受信アンテナ１０１に設定すべき設定値に更新し、ステップ３０３に進む。このステップ４１０において設定すべき設定値とは、受信アンテナ１０１の素子方向が時計回りに予め規定した角度だけ回転するような設定や、受信アンテナ１０１の増幅率を変更するような設定や、受信アンテナ１０１の極性反転部の設定を変更するような設定や、複数の設定を同時に変更するような設定などが想定される。但し、本実施の形態における受信装置での初期チャンネルプリセット方法では、ステップ４１０での設定順序を限定するものではない。また、図２に示した受信アンテナ制御信号によれば、１２８通りの受信アンテナ設定の組合せが存在するが、その内の一部の組合せを試行しない場合においても、本実施例の効果を損なうものとはなりえない。
【００２８】
次に、ステップ４１１において制御部１０５は、ステップ４０６で記憶部１０６に格納した情報を基に、物理チャンネル番号毎に受信信号品質が最適となる受信アンテナ１０１の設定を記憶部１０６に格納し、ステップ４１２に進む。ステップ４１１において記憶部１０６に格納する受信アンテナ設定は、受信信号品質が予め規定した閾値（基準値）を超える受信アンテナ設定を有する物理チャンネル番号に対応した設定のみを想定している。この閾値は、例えば誤り訂正後の最終的な誤りがゼロとみなせるビット誤り率や受信信号のＳＮＲを規定しておくことにより、ユーザにとって問題なく受信可能か否かを示すことになる。また、このステップ４１１において、記憶部１０６の記憶容量確保のために、ステップ４０６において格納した情報を消去することも可能である。次に、ステップ４１２において制御部１０５は、チャンネルプリセット機能を終了する。
【００２９】
以上のようなチャンネルプリセットを行った後で、ユーザがプリセットされたチャンネルの選局を行う際の動作について説明する。例えばユーザによって物理チャンネル番号Ｋのチャンネルを選局する指示があった場合、制御部１０５は初期チャンネルプリセットのステップ３１１において格納した最適な受信アンテナ１０１の設定値の内、物理チャンネル番号Ｋに対応する設定値を記憶部１０６から取得する。制御部１０５は取得した設定値によりアンテナ制御部１０２に設定し、受信アンテナ１０１が選局すべき物理チャンネルで最適な設定になるように制御する。
【００３０】
以上の動作によれば、全ての物理チャンネルのチャンネルプリセット機能を実行する場合に、全ての物理チャンネルに対して受信アンテナ設定の全組合せでの受信状態を判別する場合、チャンネルサーチ中の受信アンテナ設定に要する時間が最低でも107秒となるのに対して、受信アンテナ１０１の設定を制御する回数を受信アンテナ設定の組合せ数とすることにより、受信アンテナ設定に要する時間が最低でも1.584秒となる。すなわち、チャンネルプリセットに要する時間を短縮することが可能となる。
【００３１】
また、複数のチューナ部や復調部を備える場合にも、チャンネルプリセットにおいて各チューナで選局する物理チャンネルを分割することにより、チャンネルプリセットに要する時間の更なる短縮が可能であることは言うまでもない。
【実施例２】
【００３２】
以下、第２の実施の形態における受信装置での初期チャンネルプリセット方法について説明する。図５は、本実施の形態における受信装置での初期チャンネルプリセット機能または再チャンネルプリセット機能として、自動チャンネルスキャンを実行し、それぞれの物理チャンネルに対する受信アンテナの設定を取得する動作を説明するためのフローチャートである。以下、米国の地上波放送で規定された物理チャンネル配置を例に取り説明する。
【００３３】
まず、ステップ５０１において、ユーザの指示により初期チャンネルプリセットが実行され、ステップ５０２に進む。次に、ステップ５０２において制御部１０５は、信号処理部１０４に対して放送方式に応じた復調および誤り訂正動作を開始させ、ステップ５０３に進む。このステップ５０２での復調および誤り訂正動作とは、米国のデジタル地上波放送の場合には８ＶＳＢ（８値Vestigial Side Band）変調方式、トレリス符号化、リードソロモン符号化に対する復調および誤り訂正である。
【００３４】
次に、ステップ５０３において制御部１０５は、受信アンテナ１０１の設定が初期設定となるようにアンテナ制御部１０２を制御し、ステップ５０４に進む。
【００３５】
次に、ステップ５０４において制御部１０５は、例えば最も小さい物理チャンネルを選局するようチューナ部１０２を制御し、ステップ５０５に進む。米国の地上波放送の場合は有効物理チャンネル範囲が「２」〜「６９」なので、まず物理チャンネル番号「２」を設定する。
【００３６】
次に、ステップ５０５において制御部１０５は、信号処理部１０４から信号品質情報の内、受信信号との同期状態を取得し、受信信号と同期している場合、すなわち、選局している物理チャンネルに対して現在の受信アンテナの設定でデジタル放送電波の存在が認められる場合にはステップ５０６に進み、受信信号と同期していない場合、すなわち、選局している物理チャンネルに対して現在の受信アンテナの設定ではデジタル放送電波の存在が認められない場合にはステップ５０７に進む。ステップ５０６において制御部１０５は、現在選局している物理チャンネル番号をデジタル放送電波が存在する物理チャンネルとして記憶部１０６に格納し、ステップ５０７に進む。但し、ステップ５０５において信号有とする受信判定基準として、予め決められた閾値以上の受信信号ＳＮＲや、予め決められた閾値以下の誤り率としても良い。
【００３７】
次に、ステップ５０７において制御部１０５は、米国の地上波放送で規定されている全ての物理チャンネルを選局したかどうかを判定し、該当していればステップ５０９に進み、該当していなければステップ５０８に進む。ステップ５０８においては、ステップ５０４で選局すべき物理チャンネル番号を1つ大きな番号に更新しステップ５０４に進み、ステップ５０４からステップ５０７までのループにより全ての物理チャンネルを選局するまで繰り返した後、ステップ５０９に進む。但し、本実施の形態における受信装置での初期チャンネルプリセット方法では、ステップ５０８での更新順序を限定するものではない。
【００３８】
次に、ステップ５０９において制御部１０５は、受信アンテナ１０１に設定すべき既定の設定パラメータを試行したかを判定し、該当していればステップ５１１に進み、該当していなければステップ５１０に進む。ステップ５０９における判定基準となる既定の設定パラメータとは、例えば、図２に示した受信アンテナ制御信号で設定される受信アンテナの方向設定・極性設定・増幅率設定の内、極性設定と増幅率設定を固定して方向設定を１６通り試行する組合せ数１６の設定パラメータや、極性設定を固定して２通りの増幅率設定と４通りの方向設定を試行する組合せ数８の設定パラメータなどが考えられる。但し、本実施の形態における受信装置での初期チャンネルプリセット方法では、ステップ５０９における判定基準となる既定の設定パラメータを限定するものではない。
【００３９】
ステップ５１０において制御部１０５は、これまでのステップにおいて設定していない受信アンテナ設定の内、次に受信アンテナ１０１に設定すべき設定値に更新し、ステップ５０３に進む。このステップ５１０において設定すべき設定値とは、受信アンテナ１０１の素子方向が時計回りに予め規定した角度だけ回転するような設定や、受信アンテナ１０１の増幅率を変更するような設定や、受信アンテナ１０１の極性反転部の設定を変更するような設定や、複数の設定を同時に変更するような設定などが想定される。但し、本実施の形態における受信装置での初期チャンネルプリセット方法では、ステップ５１０での設定順序を限定するものではない。
【００４０】
次に、ステップ５１１において制御部１０５は、ステップ５０６で記憶部１０６に格納した物理チャンネルの内、例えば最も小さい物理チャンネルを選局するようチューナ部１０２を制御し、ステップ５１２に進む。
【００４１】
次に、ステップ５１２において制御部１０５は、受信アンテナ１０１の設定が初期設定となるようにアンテナ制御部１０２を制御し、ステップ５１３に進む。
【００４２】
次に、ステップ５１３において制御部１０５は、信号処理部１０４から信号品質情報を取得してステップ５１４に進む。ステップ５１４において制御部１０５は、現在設定している受信アンテナ設定と、現在選局している物理チャンネル番号と、受信信号の信号品質情報とを対応付けて記憶部１０６に格納し、ステップ５１５に進む。また、ステップ５１３において受信信号との同期状態がアンロックである場合、すなわち、選局している物理チャンネルに対して現在の受信アンテナの設定ではデジタル放送電波の存在が認められない場合、ステップ５１４において信号品質情報を最低値に変換して格納しておく。
【００４３】
次に、ステップ５１５において制御部１０５は、受信アンテナ１０１に設定すべき全ての設定パラメータを試行したかを判定し、該当していればステップ５１７に進み、該当していなければステップ５１６に進む。
【００４４】
ステップ５１６において制御部１０５は、ステップ５１２からステップ５１６のステップにおいて設定していない受信アンテナ設定の内、次に受信アンテナ１０１に設定すべき設定値に更新し、ステップ５１２に進む。このステップ５１６において設定すべき設定値とは、受信アンテナ１０１の素子方向が時計回りに予め規定した角度だけ回転するような設定や、受信アンテナ１０１の増幅率を変更するような設定や、受信アンテナ１０１の極性反転部の設定を変更するような設定や、複数の設定を同時に変更するような設定などが想定される。
【００４５】
但し、本実施の形態における受信装置での初期チャンネルプリセット方法では、ステップ５１６での設定順序を限定するものではない。また、図２に示した受信アンテナ制御信号によれば、１２８通りの受信アンテナ設定の組合せが存在するが、その内の一部の組合せを試行しない場合においても、本実施例の効果を損なうものとはなりえない。
【００４６】
次に、ステップ５１７において制御部１０５は、ステップ５１４で記憶部１０６に格納した情報を基に、物理チャンネル番号毎に受信信号品質が最適となる受信アンテナ１０１の設定を記憶部１０６に格納し、ステップ５１８に進む。ステップ５１７において記憶部１０６に格納する受信アンテナ設定は、受信信号品質が予め規定した閾値（基準値）を超える受信アンテナ設定を有する物理チャンネル番号に対応した設定のみを想定している。この閾値は、例えば誤り訂正後の最終的な誤りがゼロとみなせるビット誤り率を規定しておくことにより、ユーザにとって問題なく受信可能か否かを示すことになる。また、このステップ５１７において、記憶部１０６の記憶容量確保のために、ステップ５１４において格納した情報を消去することも可能である。
【００４７】
次に、ステップ５１８において制御部１０５は、ステップ５０６において記憶部１０６に記憶した全ての物理チャンネルを選局したかどうかを判定し、該当していればステップ５２０に進み、該当していなければステップ５１９に進む。ステップ５１９においてはステップ５０６において記憶部１０６に記憶した物理チャンネルから、ステップ５１１で選局していない物理チャンネル番号に更新してステップ５１１に進み、ステップ５１１からステップ５１９までのループにより、ステップ５０６において記憶部１０６に記憶した全ての物理チャンネルを選局するまで繰り返した後、ステップ５２０に進む。但し、本実施の形態における受信装置での初期チャンネルプリセット方法では、ステップ５１９での更新順序を限定するものではない。次に、ステップ５２０において制御部１０５は、チャンネルプリセット機能を終了する。
【００４８】
以上のようなチャンネルプリセットを行った後で、ユーザがプリセットされたチャンネルの選局を行う際は、実施例１と同様の方法により制御する。
【００４９】
以上の動作によれば、全物理チャンネルのチャンネルプリセット機能を実行する場合に、デジタル放送が存在するチャンネルのみにおいて、受信アンテナ１０１の全設定での受信状態を取得することで、チャンネルプリセットに要する時間を短縮することが可能となる。
【００５０】
また、本実施の形態における受信装置での初期チャンネルプリセット方法において、ステップ５１１からステップ５１８を図４に示したステップ４０３からステップ４１１に置き換え、ステップ４０７での判定基準を「ステップ５０６において記憶部１０６に記憶した全ての物理チャンネルを選局したかどうか」とすることにより、更なる時間短縮が可能となる。
【００５１】
また、複数のチューナ部や復調部を備える場合にも、チャンネルプリセットにおいて各チューナで選局する物理チャンネルを分割することにより、チャンネルプリセットに要する時間の更なる短縮が可能であることは言うまでもない。
【００５２】
上記実施例に限らず，その要旨を逸脱しない範囲内で種々変形して実施することが可能である。更に、上記実施の形態には種々の発明が含まれており、開示される複数の構成要件における適宜な組み合わせにより種々の発明が抽出され得る。例えば、実施の形態に示される前構成要件からいくつかの構成要件が削除されても、発明が解決しようとする課題の欄で述べた課題の少なくとも一つが解決でき、発明の効果の欄で述べられている効果の少なくとも一つが得られる場合には、この構成要件が削除された構成が発明となる。
【図面の簡単な説明】
【００５３】
【図１】本発明を適用した実施形態における受信装置の構成例を示すブロック図である。
【図２】本発明を適用した実施形態における受信装置の内、信号処理部での処理を詳細に説明するためのブロック図である。
【図３】本発明を適用した実施形態において、アンテナ制御部を制御するための受信アンテナ制御信号の一例である。
【図４】本発明を適用した第１の実施形態において、自動チャンネルスキャンを実行し、それぞれの物理チャンネルに対する受信アンテナ設定を取得する動作を説明するためのフローチャート図である。
【図５】本発明を適用した第２の実施形態において、自動チャンネルスキャンを実行し、それぞれの物理チャンネルに対する受信アンテナ設定を取得する動作を説明するためのフローチャート図である。
【図６】１つの受信地域に対して放送電波の送信局や中継局が複数存在する場合を示す図である。
【符号の説明】
【００５４】
１００：受信装置
１０１：受信アンテナ
１０２：受信アンテナ制御部
１０３：チューナ部
１０４：信号処理部
１０５：制御部
１０６：記憶部
１０７：映像表示部
１０８：音声出力部
２０１：Ａ／Ｄ変換部
２０２：復調部
２０３：誤り訂正部
２０４：デマルチプレクサ
２０５：ビデオデコーダ
２０６：オーディオデコーダ
３０１：時間軸
３０２、３０８：リセット信号
３０３：設定データ送信開始を表す１ビットのスタートビット
３０４：受信アンテナ方向設定データ
３０５：受信アンテナ極性設定データ
３０６：受信アンテナ増幅率設定データ
３０７：選局チャンネルデータ
６０１、６０２、６０３  ：送信局
【図１】
2006352187.tif 000003
【図２】
2006352187.tif 000004
【図３】
2006352187.tif 000005
【図４】
2006352187.tif 000006
【図５】
2006352187.tif 000007
【図６】
2006352187.tif 000008